(57)【要約】      （修正有）【課題】横滑りのしない、強力に吸着する吸着盤とその脱着を補助する脱着機構を設けた吸着盤と該脱着機構を設けた吸着盤を着設した浴用椅子を提供する。【解決手段】床や壁の滑面に吸着させて物体を安定させ、若しくは吊り下げるための吸着盤の内面にさらに吸着機能を有する環状の吸着盤を設けたことを特徴とする横滑り防止機能を有する吸着盤とした。吸着盤の内面に沿ってさらに環状の吸着盤を設けることによって、元の吸着盤の吸着力を落とすことなく、横に滑る方向に対して強い抵抗性を有する吸着盤がえられた。また、脱着機構を取着した吸着盤装置によって、該吸着盤装置を装着した椅子の吸着した床面からの脱着が容易になった。【選択図】図１
2006105344.tif 000002
【特許請求の範囲】
【請求項１】
床や壁の滑面に吸着させて物体を安定させ、若しくは物体を吊り下げるための吸着盤であって、該吸着盤の吸着面にさらに吸着機能を有する環状の吸着盤を設けたことを特徴とする横滑り防止機能を有する吸着盤。
【請求項２】
吸着盤の吸着面にさらに吸着機能を有する環状の吸着盤を設けた横滑り防止機能を有する吸着盤に脱着機構を設けたことを特徴とする横滑り防止機能を有する吸着盤装置。
【請求項３】
浴室内で使用される椅子の脚部底面に請求項１または請求項２のいずれかに記載の横滑り防止機能を有する吸着盤、又は吸着盤装置を着設したことを特徴とする浴用椅子。
【発明の詳細な説明】
【技術分野】
【０００１】
本発明は、鍵状フックを有する吸着盤を壁面に吸着させて物体を吊り下げたり、椅子などの脚部底面に取り付けて、浴室、浴槽の床面に吸着させて椅子を動かないようにするための横滑り防止機能を有する吸着盤に関する。
【背景技術】
【０００２】
鍵状フックを有する吸着盤は浴室や、台所の壁面に吸着させてブラシを直接吊したり、台を取り付けて石鹸、洗剤等の使用頻度の高いものを手元近くに保持するために使用されている。しかし、石鹸や洗剤等の重量のあるものは吸着盤に過剰の負荷をかけて、時間の経過と共に吸着盤の吸着位置がずれてきたり、最後には落下することが多い。この問題を解決するために、種々の試みがなされている。
【０００３】
例えば、特許文献１においては、被支持部材を支持体の被吸着面に吸着して保持させる吸着盤装置において、吸着盤の吸着面側に第２の吸着盤を設けたことを特徴とする吸着盤装置が開示されている。特許文献２においては、外吸着盤と内吸着盤とからなり、外吸着盤の外周縁内に内吸着盤が配設されており、外吸着盤と内吸着盤とは外周縁がほぼ同一平面内に位置して互いに連結されており、外吸着盤と内吸着盤の両方が吸着面に吸着されるように構成された吸着盤が開示されている。さらに、特許文献３には、大吸着盤の吸着凹面内にその非吸着時の吸着盤周縁高さよりも低い吸着盤周縁高さを有する複数の小吸着盤が一体形成されてなる吸着盤が開示されている。
【０００４】
上記のように吸着盤の吸着内面にさらに吸着盤を設けた吸着盤は公知であるが、これらの公知の親子型吸着盤は吸着盤内に外側の吸着盤と同一方向に向いた内側の吸着盤を設けているために、横方向に滑った場合に、充分に横滑りを防止することは困難であった。老人や体の不自由な人が入浴する場合に、椅子に安心して腰掛けることができるように浴室の床面や浴槽内の床に吸着盤を吸着させたり、浴室の床面と浴槽内の床面の高さを揃えて浴槽に入りやすくしたりするために、横滑り防止機能を有する浴用椅子の出現が望まれている。
【特許文献１】実開昭５０−４２１７５号公報
【特許文献２】実開昭６１−４１９１９号公報
【特許文献３】実開昭６２−１５６６１８号公報
【発明の開示】
【発明が解決しようとする課題】
【０００５】
本発明は横滑りのしない、強力に吸着する吸着盤とその脱着を補助する脱着機構を設けた吸着盤と該脱着機構を設けた吸着盤を着設した浴用椅子を提供する。
【課題を解決するための手段】
【０００６】
上記課題を解決するために鋭意検討を加えた結果、吸着盤の吸着面内にさらに環状の吸着盤を取着することによって、従来の吸着盤よりも強力に吸着し、横滑りもしない吸着盤が得られた。さらに、吸着が強い吸着盤は吸着面から剥がすのが一苦労するが、脱着機構を設けることによって、非力な人でも簡単に吸着面から吸着盤を剥がすことができる横滑り防止機能を有する吸着盤が得られた。
【０００７】
本発明の第１の特徴は、床や壁の滑面に吸着させて物体を安定させ、若しくは物体を吊り下げるための吸着盤であって、該吸着盤の吸着面にさらに吸着機能を有する環状の吸着盤を設けたことを特徴とする横滑り防止機能を有する吸着盤である。床や壁の滑面に吸着させて物体を安定させ、若しくは物体を吊り下げるための吸着盤の吸着面に沿ってさらに環状の吸着盤を設けることによって、元の吸着盤の吸着力を落とすことなく、横に滑る方向に対して強い抵抗性を持たせることができる。
【０００８】
本発明の第２の特徴は、吸着盤の吸着面にさらに吸着機能を有する環状の吸着盤を設けた横滑り防止機能を有する吸着盤に着脱機構を設けたことを特徴とする横滑り防止機能を有する吸着盤装置である。床、壁等の滑面に吸着させる吸着盤に、吸着盤を簡単に剥がすことが出来る脱着機構を設けることによって、椅子などの脚に装着した場合に、床面で滑らない椅子にすると共に、簡単に吸着盤を剥がして、椅子の移動を容易に行うことができる。
【０００９】
本発明の第３の特徴は、浴室内で使用される椅子の脚部底面に請求項１または請求項２のいずれかに記載の横滑り防止機能を有する吸着盤、又は吸着盤装置を着設したことを特徴とする浴用椅子である。横滑り防止機能を有する本発明の吸着盤、又は吸着盤装置を浴用の椅子の脚部底面に着設することによって、浴槽内でも浴室の床面でも、横滑り防止機能を有する浴室用の椅子として安心して使用することができる。
【発明の効果】
【００１０】
吸着盤の吸着面内にさらに環状の吸着盤を吸着面の半径の約1/2付近に取着することによって、従来の吸着盤よりも強力に吸着し、吸着盤に金具を取りつけて重い物を吊す場合や、椅子の脚部底面に取り付けて浴室や、浴槽の床面に固定した場合に、吊し金具や、椅子の横滑りを防止することができる吸着盤が得られた。一方で、吸着力が強い吸着盤は吸着面から剥がすのが大変であるが、吸着力が強い吸着盤に脱着機構を設けることによって、非力な人でも簡単に吸着面から吸着盤を剥がすことができる横滑り防止機能を有する吸着盤装置が得られた。また、上記脱着機構を有する吸着盤装置を浴用の椅子の脚部底面に取着することによって、老人や体の不自由な人が入浴する場合に、椅子に安心して腰掛けることができるように浴室の床面や浴槽内の床に吸着盤を吸着させたり、浴室の床面と浴槽内の床面の高さを揃えて浴槽に入りやすくしたりすることが出来る。横滑り防止機能を有する浴用椅子は浴室や浴槽内で椅子が安定に保持できるようになり、しかも脱着機構を有する吸着盤装置を取着すれば脱着が容易であるので、椅子の移動が容易で、簡単に浴槽から取り出して綺麗に洗浄することができる。
【発明を実施するための最良の形態】
【００１１】
本発明の横滑り防止機能付き吸着盤、又は脱着機構を有する吸着盤装置について、以下に図面を用いて詳細に説明するが本発明は以下の実施例に限定されるものではない。本発明の横滑り防止機能付き吸着盤の材料は、通常使用される合成樹脂等が利用され、特に限定されるものではなく、例えば、エチレンプロピレンゴム、ポリ塩化ビニール、シリコンゴム等が例示できる。
【００１２】
図１−Ａは本発明の横滑り防止機能を有する吸着盤１００の上面を示し、中央に吸着盤を支持する吸着盤支持部１５を設け、吸着盤を取り外すときに摘んで引き上げ易いように、吸着盤の外面１２の外周上に摘み部１６を設ける。図１−Ｂ、及び図１−Ｃは本発明の横滑り防止機能を有する吸着盤１００の側面を示す。図１−Ｄは本発明の横滑り防止機能を有する吸着盤１００の側面透視図を示し、吸着盤の内面１３に環状の吸着盤１４を吸着面の半径の約１／２の位置に着設している。吸着盤の内面に着設する環状の吸着盤１４の着設位置は、特に限定されるものではないが、吸着盤の外周１３ａ面より内側であって、吸着盤の内面１３の支持部１５に近い位置、すなわち、吸着盤の半径の約１／２付近か、それより前後に着設すると横滑りが防止機能を損なわずに、吸着盤を吸着面に吸着させやすい。
【００１３】
本発明の横滑り防止機能を有する吸着盤１００は、吸着盤の吸着面１３に、さらに環状の吸着盤１４を着設したことによって、図１−Ｅ、及び図１−Ｆの斜視図に示すように、吸着盤の外周１３ａから環状の吸着盤の外周１４ａの間１３ｂと、環状の吸着盤の間１４ｂ、環状の吸着盤の内周面１４ｃの３層の吸着層によって、壁面や床などの滑面に強力に吸着して横滑りを防止することができる。
【００１４】
本発明の横滑り防止機能を有する吸着盤１００は、浴槽の床に椅子等を固定するために利用できる他、摘み部１６に鍵状の引っかけ具を装着したり、支持部１５に棚部材を着設することによって、台所の壁面や、流し台等に着設して、引っかけ具や物置台として利用することができる。本発明の横滑り防止機能を有する吸着盤１００の大きさは、使用目的、使用箇所によって異なり、特に限定されるものではない。本発明においては、外径８ｃｍの吸着盤の内面に、外周１４ａが５．２ｃｍ、内周１４ｂが３．２ｃｍの環状の吸着盤を取着した吸着盤を試作した。また、外径１０ｃｍの吸着盤の内面に、外周１４ａが６．５ｃｍ、内周１４ｂが４．５ｃｍの環状の吸着盤を取着した吸着盤を試作し、いずれも強力な吸着能力を有し、横滑り防止機能を有する吸着盤が得られた。
【００１５】
図２は床などに強力に吸着した吸着盤を非力な人でも簡単に外すことができるように、本発明の横滑り防止機能を有する吸着盤を二つ用いて、それぞれの吸着盤の摘み部１６に図２に示す把持部１８を有する脱着機構１７の端部を吸着盤の摘み部１６に引っかけて、吸着盤の脱着機構１７を取着した脱着機構を有する吸着盤装置２００を製作した。
【００１６】
図３は合成樹脂等で製作された浴用の椅子１９を示す。浴用の椅子１９の脚部には高さを調節するための調節穴２１とこの調節穴２１に挿入されるピンが着いた環状の調節具２２が着設されている。ピンが着いた環状の調節具２２は椅子の脚部の径に合致し、取り外しが可能な範囲で弾力性があり、一端に回動自在にピンが着設されたものである。高さが調節できる椅子は、浴槽内に装着する場合には、浴室の床面と高さを合わせることができ、老人、子供等の入浴を補助することが出来る。
【００１７】
図４は本発明の横滑り防止機能を有する吸着盤に脱着機構１７を取着した脱着機構を有する吸着盤装置２００を、浴用の椅子１９の脚部底面２３に装着した例を示す。浴用の椅子１９に本発明の横滑り防止機能を有する吸着盤に脱着機構１７を取着した吸着盤装置を装着すると、脱着機構１７の把持部１８を軽く引き上げるだけで、床面から吸着盤が外れて、床面や、浴槽、椅子等の洗浄が簡単に出来る。
【００１８】
図５は本発明の横滑り防止機能を有する吸着盤に脱着機構１７を取着し、この脱着機構を有する吸着盤装置２００を浴用の椅子１９に装着して、浴槽の床面に着設した例を示している。このように、高さの調節が可能な浴用の椅子１９に、横滑り防止機能を有し、かつ、脱着機構を有する吸着盤装置２００を着設することによって、子供でも大人でも使用できるように高さの調節が可能であって、さらに椅子の位置を変えたり、椅子を洗浄する際には脱着機構の把持部を引き上げるだけで、簡単に床等の吸着面から椅子を脱着することができる。
【図面の簡単な説明】
【００１９】
【図１−Ａ】吸着盤の上面図である。
【図１−Ｂ】吸着盤の側面図である。
【図１−Ｃ】吸着盤の側面図である。
【図１−Ｄ】吸着盤の側面透視図である。
【図１−Ｅ】吸着盤の下面図である。
【図１−Ｆ】吸着盤の吸着面の斜視図である。
【図２】脱着機構を取着した吸着盤装置の斜視図である。
【図３】浴用の椅子の斜視図である。
【図４】脱着機構を装着した吸着盤装置を取着した浴用椅子の斜視図である。
【図５】吸着盤装置を取着した椅子を浴槽に装着した状態の側面図を示す。
【符号の説明】
【００２０】
１００：横滑り防止機能を有する吸着盤
２００：脱着機構を有する吸着盤装置
１１：吸着盤
１２：吸着盤の外面
１３：吸着盤の内面
１４：環状の吸着盤
１５：吸着盤支持部
１６：摘み部
１７：脱着機構
１８：把持部
１９：浴用の椅子
２０：椅子の脚部
２１：調節穴
２２：調節具
２３：椅子の脚部底面
２４：水面
【図１】
2006105344.tif 000003
【図２】
2006105344.tif 000004
【図３】
2006105344.tif 000005
【図４】
2006105344.tif 000006
【図５】
2006105344.tif 000007
【手続補正書】
【提出日】平成16年10月22日(2004.10.22)
【手続補正１】
【補正対象書類名】明細書
【補正対象項目名】００１９
【補正方法】変更
【補正の内容】
【００１９】
【図１】１−Ａは吸着盤の上面図である。１−Ｂは吸着盤の側面図である。１−Ｃは吸着盤の側面図である。１−Ｄは吸着盤の側面透視図である。１−Ｅは吸着盤の下面図である。１−Ｆは吸着盤の吸着面の斜視図である。
【図２】脱着機構を取着した吸着盤装置の斜視図である。
【図３】浴用の椅子の斜視図である。
【図４】脱着機構を装着した吸着盤装置を取着した浴用椅子の斜視図である。
【図５】吸着盤装置を取着した椅子を浴槽に装着した状態の側面図を示す。